【手続補正書】
【提出日】平成20年3月7日(2008.3.7)
【手続補正１】
【補正対象書類名】特許請求の範囲
【補正対象項目名】全文
【補正方法】変更
【補正の内容】
【特許請求の範囲】
【請求項１】
塩酸もしくは酢酸、またはこれらの混合物の酸水溶液と、次亜塩素酸ナトリウムもしくは二酸化塩素、またはこれらの混合物の塩素系水溶液とを水に混入させて製造する殺菌水の製造装置であって、
水の流路と、
酸水溶液または塩素系水溶液の原液を貯留し、貯留される原液の液面が所定の高さに保たれる原液貯留器と、
流路に設けられ、前記原液貯留器から供給される前記原液を水に吸い込み混入させるための混入器と、
酸水溶液または塩素系水溶液の少なくともいずれかの前記原液が前記混入器により混入された水を、水の流れにおいて前記混入器の下流にあり前記所定の高さより低い位置まで延びる前記流路の出口から受け、前記所定の高さにおいてオーバーフローさせるオーバーフロータンクと
を備えてなる殺菌水の製造装置。
【請求項２】
前記原液貯留器は、前記原液を流出させる下方に向いた開口部を有し該開口部以外が気密構造とされた原液タンクを、前記開口部の下方から受けるようにされ、
前記原液貯留器に貯留される前記原液の液面が前記所定の高さより低いときには、前記開口部を通じて、原液タンクからの前記原液の供給および／または原液タンク内への空気の供給が可能にされ、該液面が前記所定の高さにあるときには、前記原液タンクの前記開口部が塞がれる、請求項１に記載の殺菌水の製造装置。
【請求項３】
塩酸もしくは酢酸、またはこれらの混合物の酸水溶液と、次亜塩素酸ナトリウムもしくは二酸化塩素、またはこれらの混合物の塩素系水溶液とを水に混入させて製造する殺菌水の製造装置であって、
水の流路と、
該流路に設けられ、酸水溶液または塩素系水溶液の原液を水に吸い込み混入させるための混入器と、
前記原液が前記混入器により混入された水を、水の流れにおいて前記混入器の下流にあり所定の高さより低い位置まで延びる前記流路の出口から受け、前記所定の高さにおいてオーバーフローさせるオーバーフロータンクと、
前記混入器への前記原液の供給路に設けられた流量計であって、通路によって大気と連通し該供給路と連通した所定体積の液溜部と、該液溜部の液面を異なる液面高において検知する少なくとも二つの液面検知手段とを備え、該通路の大気側開口部が前記所定の高さよりも高い位置に設けられ、該液溜部から該供給路への原液の供給の際に前記液面検知手段それぞれが液面を検知する時間差によって前記供給路における前記原液の流量を検知する流量計と
を備えてなる殺菌水の製造装置。
【請求項４】
塩酸もしくは酢酸、またはこれらの混合物の酸水溶液と、次亜塩素酸ナトリウムもしくは二酸化塩素、またはこれらの混合物の塩素系水溶液とを水に混入させて製造する殺菌水の製造装置であって、
水の流路と、
前記酸水溶液の原液を貯留する第１原液貯留器と、
前記塩素系水溶液の原液を貯留する第２原液貯留器と、
該流路に設けられ、該流路の水流の一部に前記酸水溶液または前記塩素系水溶液のいずれかの原液を吸い込み混入させるための第１混入器と、
該流路に設けられ、該流路の水流の別の一部に前記酸水溶液または前記塩素系水溶液のいずれかの原液を吸い込み混入させるための第２混入器と、
前記第１原液貯留器からの前記酸水溶液の原液が供給される供給路を前記第１混入器につながる供給路に接続し、前記第２原液貯留器からの前記塩素系水溶液の原液が供給される供給路を前記第２混入器につながる供給路に接続する第１接続構成と、前記第１原液貯留器からの前記酸水溶液の原液が供給される供給路を前記第２混入器につながる供給路に接続し、前記第２原液貯留器からの前記塩素系水溶液の原液が供給される供給路を前記第１混入器につながる供給路に接続する第２接続構成とを切り替える切替手段と
を備え、
該切替手段は、前記第１接続構成から前記第２接続構成への間の切替え時、または、前記第２接続構成から前記第１接続構成への間の切替え時の少なくともいずれかの時に、前記酸水溶液と前記塩素系水溶液とが前記第１混入器または前記第２混入器への供給路において直接接触しないよう、前記供給路に気体を導入するための気体導入弁を有している、殺菌水製造装置。
【請求項５】
塩酸もしくは酢酸、またはこれらの混合物の酸水溶液と、次亜塩素酸ナトリウムもしくは二酸化塩素、またはこれらの混合物の塩素系水溶液とを水に混入させて製造する殺菌水の製造装置であって、
水の流路と、
前記酸水溶液の原液を貯留する第１原液貯留器と、
前記塩素系水溶液の原液を貯留する第２原液貯留器と、
該流路に設けられ、該流路の水流の一部に前記酸水溶液または前記塩素系水溶液のいずれかの原液を吸い込み混入させるための第１混入器と、
該流路に設けられ、該流路の水流の別の一部に前記酸水溶液または前記塩素系水溶液のいずれかの原液を吸い込み混入させるための第２混入器と、
前記第１原液貯留器からの前記酸水溶液の原液が供給される供給路を前記第１混入器につながる供給路に接続し、前記第２原液貯留器からの前記塩素系水溶液の原液が供給される供給路を前記第２混入器につながる供給路に接続する第１接続構成と、前記第１原液貯留器からの前記酸水溶液の原液が供給される供給路を前記第２混入器につながる供給路に接続し、前記第２原液貯留器からの前記塩素系水溶液の原液が供給される供給路を前記第１混入器につながる供給路に接続する第２接続構成とを切り替える切替手段と、
前記第１原液貯留器および前記第２原液貯留器から前記第１混入器および前記第２混入器への前記酸水溶液および前記塩素系水溶液の各原液の供給路に設けられた少なくとも二つの流量計であって、通路によって大気と連通し該供給路と連通した所定体積の液溜部と、該液溜部の液面を異なる液面高において検知する少なくとも二つの液面検知手段とを備え、該液溜部から該供給路への原液の供給の際に前記液面検知手段それぞれが液面を検知する間の時間によって前記各供給路における原液の流量を検知する流量計と
を備え、
該切替手段により前記第１接続構成から前記第２接続構成への切替え時、または、前記第２接続構成から前記第１接続構成への切替え時のいずれかの時に、前記酸水溶液と前記塩素系水溶液とが、前記流量計の前記貯留部において直接接触しないよう、前記酸水溶液と前記塩素系水溶液との間の供給路の少なくとも一部に前記貯留部の通路から外気を導入する殺菌水製造装置。
【手続補正２】
【補正対象書類名】明細書
【補正対象項目名】０００７
【補正方法】変更
【補正の内容】
【０００７】
本発明においては、塩酸もしくは酢酸、またはこれらの混合物の酸水溶液と、次亜塩素酸ナトリウムもしくは二酸化塩素、またはこれらの混合物の塩素系水溶液とを水に混入させて製造する殺菌水の製造装置であって、水の流路と、酸水溶液または塩素系水溶液の原液を貯留し、貯留される原液の液面が所定の高さに保たれる原液貯留器と、流路に設けられ、前記原液貯留器から供給される前記原液を水に吸い込み混入させるための混入器と、酸水溶液または塩素系水溶液の少なくともいずれかの前記原液が前記混入器により混入された水を、水の流れにおいて前記混入器の下流にあり前記所定の高さより低い位置まで延びる前記流路の出口から受け、前記所定の高さにおいてオーバーフローさせるオーバーフロータンクとを備えてなる殺菌水の製造装置が提供される。
【手続補正３】
【補正対象書類名】明細書
【補正対象項目名】００１０
【補正方法】変更
【補正の内容】
【００１０】
混入器は、流路を絞って流速が増された水流に生じる負圧を利用して吸い込み混入する様なエジェクターなどを用いることができる。原液貯留器からの原液は、混入器によって水に混入されると、希釈酸水溶液や希釈塩素系水溶液が作られて、例えば、希釈酸水溶液と希釈塩素系水溶液とが別々のタンクに蓄えられる。このタンク内部には、混入器から延びるパイプの出口を受けるように、オーバーフロータンクが備えられる。混入器から来るパイプの出口は、このオーバーフローの液面より低い位置まで伸びてオーバーフロータンクにより受けられている。そして、このオーバーフロータンクの液面は、上述の所定の高さに保たれて、オーバーフローさせられている。
【手続補正４】
【補正対象書類名】明細書
【補正対象項目名】００１４
【補正方法】変更
【補正の内容】
【００１４】
本発明においては、さらに他の態様の殺菌水の製造装置が提供される。すなわち、塩酸もしくは酢酸、またはこれらの混合物の酸水溶液と、次亜塩素酸ナトリウムもしくは二酸化塩素、またはこれらの混合物の塩素系水溶液とを水に混入させて製造する殺菌水の製造装置であって、水の流路と、該流路に設けられ、酸水溶液または塩素系水溶液の原液を水に吸い込み混入させるための混入器と、前記原液が前記混入器により混入された水を、水の流れにおいて前記混入器の下流にあり所定の高さより低い位置まで延びる前記流路の出口から受け、前記所定の高さにおいてオーバーフローさせるオーバーフロータンクと、前記混入器への前記原液の供給路に設けられた流量計であって、通路によって大気と連通し該供給路と連通した所定体積の液溜部と、該液溜部の液面を異なる液面高において検知する少なくとも二つの液面検知手段とを備え、該通路の大気側開口部が前記所定の高さよりも高い位置に設けられ、該液溜部から該供給路への原液の供給の際に前記液面検知手段それぞれが液面を検知する時間差によって前記供給路における前記原液の流量を検知する流量計とを備えてなる殺菌水の製造装置が提供される。
【手続補正５】
【補正対象書類名】明細書
【補正対象項目名】００２８
【補正方法】変更
【補正の内容】
【００２８】
製造された殺菌水は、殺菌水タンク４８に蓄えられる。この殺菌水タンク４８には、オーバーフロータンク４２が備えられている。流路３０は、このオーバーフロータンク４２が液をオーバーフローさせる高さ（オーバーフローレベル）４２ｈより低い位置まで延びて、出口３０ａを有している。オーバーフロータンク４２はオーバーフローレベル４２ｈまでしか殺菌水を蓄えられず、オーバーフローした殺菌水は殺菌水タンク４８内に蓄えられる。このように蓄えられた殺菌水は、流路７０により取り出されて使用される。流路７０には、殺菌水タンク４８に蓄えられた殺菌水を供給するためのポンプ７２が設けられ、そのポンプ７２は、その下流に設けられ、そこでの圧力が所定圧力以下となった場合にポンプ７２を動作させる圧力スイッチ７４によって動作が制御される。これにより、殺菌水の流出口７６に設けられた蛇口（図示しない）の開閉によって、必要な量の殺菌水が殺菌水タンク４８から供給される。殺菌水タンク４８の内部には、殺菌水の液面を検知する液面センサ４６が配置されていて、この液面センサ４６によって検知した殺菌水の量に応じて電磁弁３２が制御されて、所定の殺菌水が常に殺菌水タンク４８に蓄えられるように制御される。